(57)【要約】【課題】ユーザが動画撮影をしながら、異なる露出設定に変更しようとした時に、現在撮影中の最適な露出設定を探している間の動画には、最適な露出設定に合わせられるまでの過程を記録させないようにする。【解決手段】指定された露出設定に従って動画を撮影可能な撮像装置が、動画を撮影して記録し、撮影中に露出設定の値を撮影中の動画とは異なる値に変更させる変更指示を受け付けた場合に、撮影されている実際の露出設定は変更せずに撮影された動画を記録し、実際の露出設定は変更せずに撮影している動画を異なる値に模擬的に変更されたように画像処理した動画を表示する。 【選択図】  図５
2016046611.tif 000002
【特許請求の範囲】
【請求項１】
指定された露出設定に従って動画を撮影可能な撮像装置であって、
動画を撮影する撮影手段と、
前記撮影された動画を記録する記録手段と、
前記撮影手段による動画の撮影中に、前記露出設定の値を当該撮影中の動画とは異なる値に変更させる変更指示を受け付ける受付手段と、
前記受付手段が変更指示を受け付けた場合に、前記撮影手段により撮影されている実際の露出設定は変更せずに前記記録手段が撮影された動画を記録し、かつ、前記実際の露出設定は変更せずに撮影している動画を、前記異なる値に模擬的に変更されたように画像処理した動画を表示する表示手段と、
を備えることを特徴とする撮像装置。
【請求項２】
動画の撮影中に露出設定の値の差異を比較可能なように、前記表示手段が表示する画像処理した動画と、前記実際の露出設定は変更せずに撮影している動画とそれぞれ並べて表示する比較表示手段と、
をさらに備えることを特徴とする請求項１に記載の撮像装置。
【請求項３】
前記表示手段が前記異なる値に模擬的に変更されたように画像処理した動画を表示した場合に、前記撮影手段により撮影されている実際の露出設定を前記模擬的に変更された値に変更させる変更指示を受け付ける第２の受付手段と、
前記第２の受付手段が変更指示を受け付けた場合に、前記撮影手段により撮影されている実際の露出設定を変更して前記記録手段が撮影された動画を記録することを特徴とする請求項１または請求項２に記載の撮像装置。
【請求項４】
指定された露出設定に従って動画を撮影可能な撮像装置の制御方法であって、
前記撮像装置の撮影手段が、動画を撮影する撮影工程と、
前記撮像装置の記録手段が、前記撮影された動画を記録する記録工程と、
前記撮像装置の受付手段が、前記撮影工程による動画の撮影中に、前記露出設定の値を当該撮影中の動画とは異なる値に変更させる変更指示を受け付ける受付工程と、
前記撮像装置の表示手段が、前記受付工程で変更指示を受け付けた場合に、前記撮影工程により撮影されている実際の露出設定は変更せずに前記記録工程が撮影された動画を記録し、かつ、前記実際の露出設定は変更せずに撮影している動画を、前記異なる値に模擬的に変更されたように画像処理した動画を表示する表示工程と、
を含むことを特徴とする制御方法。
【請求項５】
指定された露出設定に従って動画を撮影可能な撮像装置で読み取り実行可能なプログラムであって、
前記撮像装置を、
動画を撮影する撮影手段と、
前記撮影された動画を記録する記録手段と、
前記撮影手段による動画の撮影中に、前記露出設定の値を当該撮影中の動画とは異なる値に変更させる変更指示を受け付ける受付手段と、
前記受付手段が変更指示を受け付けた場合に、前記撮影手段により撮影されている実際の露出設定は変更せずに前記記録手段が撮影された動画を記録し、かつ、前記実際の露出設定は変更せずに撮影している動画を、前記異なる値に模擬的に変更されたように画像処理した動画を表示する表示手段と、
して機能させることを特徴とするプログラム。
【発明の詳細な説明】
【技術分野】
【０００１】
本発明は、撮像装置、その制御方法とプログラムに関する。
【背景技術】
【０００２】
近年、動画も撮影できる撮像装置が利用されている。動画の撮影中にユーザが絞り値を変えることで露出の設定を変更しようとすると、絞り値の変更により撮像装置のメカ的な制御値が実際に変更されてしまうので、最適な露出に合わせるまでの間にユーザが行う過程も、全て動画に記録されてしまう。マニュアル操作で動画撮影中に絞り値やＩＳＯ等で露出を変化させると、露出も変わることでチラツキが発生し、動画撮影中には最適な露出に合わせるまでの間にユーザが行う過程が記録されてしまう。
【０００３】
特許文献１には、ＬＣＤの第１領域に参照画像を表示させ、ＬＣＤの第２領域に参照画像の輪郭成分を抽出して作成した構図画像をこのスルー画像に重畳表示することで、撮影者はスルー画像と、参照画像とを比較しながら、被写体の色合い及び明るさを設定する撮像装置の技術が開示されている。しかしながら特許文献１の技術では、既に撮影中の動画においては、最適な露出に合わせるまでの間にユーザが行う露出設定中の影響を記録させずに露出の設定変更を行うことはできない。
【先行技術文献】
【特許文献】
【０００４】
【特許文献１】特開２００８−５４０３１号公報
【発明の概要】
【発明が解決しようとする課題】
【０００５】
本発明は、ユーザが動画撮影をしながら、異なる露出設定に変更しようとした時に、現在撮影中の最適な露出設定を探している間の動画には、最適な露出設定に合わせられるまでの過程を記録させないようにする仕組みを提供することを目的とする。
【課題を解決するための手段】
【０００６】
本発明は、指定された露出設定に従って動画を撮影可能な撮像装置であって、動画を撮影する撮影手段と、前記撮影された動画を記録する記録手段と、前記撮影手段による動画の撮影中に、前記露出設定の値を当該撮影中の動画とは異なる値に変更させる変更指示を受け付ける受付手段と、前記受付手段が変更指示を受け付けた場合に、前記撮影手段により撮影されている実際の露出設定は変更せずに前記記録手段が撮影された動画を記録し、かつ、前記実際の露出設定は変更せずに撮影している動画を、前記異なる値に模擬的に変更されたように画像処理した動画を表示する表示手段と、を備えることを特徴とする。
【０００７】
また、動画の撮影中に露出設定の値の差異を比較可能なように、前記表示手段が表示する画像処理した動画と、前記実際の露出設定は変更せずに撮影している動画とそれぞれ並べて表示する比較表示手段と、をさらに備えることを特徴とする。
【０００８】
また、前記表示手段が前記異なる値に模擬的に変更されたように画像処理した動画を表示した場合に、前記撮影手段により撮影されている実際の露出設定を前記模擬的に変更された値に変更させる変更指示を受け付ける第２の受付手段と、前記第２の受付手段が変更指示を受け付けた場合に、前記撮影手段により撮影されている実際の露出設定を変更して前記記録手段が撮影された動画を記録することを特徴とする。
【発明の効果】
【０００９】
本発明により、ユーザが動画撮影をしながら、異なる露出設定に変更しようとした時に、現在撮影中の最適な露出設定を探している間の動画には、最適な露出設定に合わせられるまでの過程を記録させないようにする仕組みを提供することが可能となる。
【図面の簡単な説明】
【００１０】
【図１】本発明の撮像装置のハードウェア構成図の一例を示す図である。
【図２】本発明の撮像装置が実行するフローチャートを示す図である。
【図３】本発明の撮像装置が表示する設定画面の一例を示す図である。
【図４】本発明の撮像装置が動画撮影中に表示する画面の一例を示す図である。
【図５】本発明の撮像装置が動画撮影中に表示する画面の一例を示す図である。
【図６】本発明の撮像装置が動画撮影中に表示する画面の一例を示す図である。
【図７】本発明の撮像装置が記憶する内部データの構成例である。
【発明を実施するための形態】
【００１１】
以下、図面を参照して、本発明の実施形態を詳細に説明する。
図１を説明する。
図１は、本発明の実施形態に係る撮像装置の一例としてデジタルカメラの主な機能構成を示すブロック図である。
【００１２】
撮影レンズ１０は、その焦点距離を連続的に変えるためのズームレンズと、ピントを調整するフォーカスレンズとから構成されている。これらのレンズは、ズーム制御部４４、測距制御部４２により駆動される。撮影レンズ１０は、撮像素子１４の撮像面上に被写体を結像する。撮像素子１４は、撮像面上に結像された被写体像の光強度に応じた電気信号を出力する光電変換撮像素子であり、ＣＣＤ型やＭＯＳ型の個体撮像素子が用いられる。
【００１３】
絞り１２は、露光制御部４０により稼働される。撮像素子１４からのアナログ映像信号は、Ａ／Ｄ変換器１６に入力され、アナログ信号からデジタル信号に変換される。Ａ／Ｄ変換されたデジタル信号は、ガンマ補正、ホワイトバランス補正などの種々の画像処理が画像処理部２０で施される。画像表示メモリ２４は、撮像素子１４で撮像された複数フレーム分のデータを記憶することができるメモリである。画像処理された画像データは、画像表示メモリ２４に一時記憶される。
【００１４】
システム制御部１１２は、露光制御部４０やカメラ姿勢検知部１０６等と接続され、カメラが動作する際のシーケンス制御を行う。システム制御部１１２には、カメラの電源をオン／オフする電源スイッチ７２、レリーズに連動して、設定されたシャッタースピード値でシャッターが開閉するシャッタースイッチ６２及び全押しスイッチ６４、表示部５４に表示されるカメラを撮影する際の各種メニュー内容を選択するための操作部７０が設けられている。被写体輝度が低い場合には、フラッシュ４８を発光させる。なお、画像表示部２８と表示部５４を同一の構成としてもよい。また、本実施の形態における画像表示部２８（表示部５４）は、タッチパネル機能を有しており、ユーザによりタッチされた位置を特定することが可能となっている。このタッチパネル機能で必要なタッチ検出機構は画像表示部２８（表示部５４）に備えているものとして説明する。なお、タッチパネル機能自体は既知の技術であり、詳細な説明は省略する。
【００１５】
画像表示メモリ２４に記憶された画像データは、画像処理部２０で変換された画像データの他に被写体の顔などの特徴位置を求めるフォーカス情報または固定位置に配置されたピント確認位置とピントが一致した場所の情報やカメラ姿勢検知部１０６の情報などの影情報も一緒に記憶される。画像表示メモリ２４に記憶されたデータは、メモリカード等の記憶媒体２００，２１０（記録部２００、２１０）に記録される。画像データを記憶媒体２００，２１０に記録する際には、一般的に所定の圧縮形式、例えばＪＰＥＧ方式でデータ圧縮が行われる。圧縮伸長部３２は、画像データや撮影情報を記憶媒体２００，２１０に記録する際のデータ圧縮、及び記憶媒体２００，２１０から圧縮された画像データの伸長処理を行う。記憶媒体２００は、例えばコンパクトフラッシュ（登録商標）、メモリカード、ＳＤメモリカードのことである。
【００１６】
不揮発性メモリ５６は記憶されたデータ等を電気的に消去・記録可能な不揮発性メモリであり、例えばＥＥＰＲＯＭ等が用いられる。メモリ５２はシステム制御回路５０の動作用の定数、変数、プログラム等を記憶するメモリである。通信部は、通信機能を有する。
【００１７】
アンテナ（有線通信の場合はコネクタ）１１２は、通信部によりデジタルカメラを、パケット網、ネットワーク、インターネットを介して他の機器と接続する。コネクタ８２，８４は、電源制御部８０と電源８６とを接続する接続部である。電源８６は、アルカリ電池やリチウム電池等の一次電池、ＮｉＣｄ電池やＮｉＭＨ電池、Ｌｉ電池等の二次電池、ＡＣアダプター等からなる。
【００１８】
画像表示メモリ２４に書き込まれた表示用の画像データはＤ／Ａ変換回路２６を介して画像表示部２８により表示される。画像データを画像表示部２８に逐次表示することで、電子ファインダ機能を実現することが可能である。光学ファインダ１０４は、画像表示部２８による電子ファインダ機能を使用することなしに、光学ファインダのみを用いて撮影を行うことが可能である。
【００１９】
タイミング発生回路１８は、メモリ制御部２２及びシステム制御部１１２により制御される。メモリ３０は撮影した静止画像や動画像を格納するためのメモリである。バリア制御部４６は保護部１０２の動作を制御する。モードダイアルスイッチ６０は、電源オフ、自動撮影モード、撮影モード、パノラマ撮影モード、動画撮影モード、再生モード、マルチ画面再生・消去モード、ＰＣ接続モード等の各機能モードを切り替え設定することができる。再生モードスイッチ６６は、本実施の形態で説明している画像再生処理を実行させるためのモードスイッチである。姿勢モードスイッチ６８は、カメラを縦位置で撮影しているか横位置で撮影しているかを自動的に判断するスイッチである。
【００２０】
記憶媒体２００は、半導体メモリや磁気ディスク等から構成される記録部２０２と、デジタルカメラ１００との間のインターフェースであるＩ／Ｆ２０４と、デジタルカメラと接続を行うコネクタ２０６とを備える。記憶媒体２１０は、半導体メモリや磁気ディスク等から構成される記録部２１２と、デジタルカメラとの間のインターフェースであるＩ／Ｆ２１４と、デジタルカメラと接続を行うコネクタ２１６とを備える。Ｉ／Ｆ９０，９４はメモリカードやハードディスク等の記憶媒体２００，２１０とシステムバスとを接続するインターフェースである。コネクタ９２，９６は、メモリカードやハードディスク等の記憶媒体２００，２１０とＩ／Ｆ９０，９４とを接続する接続部である。記憶媒体着脱検知手段９８は、コネクタ９２，９６に記憶媒体２００，２１０が装着されているか否かを検知するセンサである。
【００２１】
画像データエリアには、オリジナルの画像が格納されている。画像データは、所定の圧縮形式、例えば、ＪＰＥＧ方式でデータ圧縮がなされているが、これに限定されるものではない。記憶装置５６には、圧縮・伸長を行うソフトウェアが記憶されており、ＲＡＭ５２に取り込んだ撮影情報を含む画像データの圧縮や圧縮された画像データの伸長処理を行う。
図２を説明する。
【００２２】
図２は、本発明の実施形態を表すために撮像装置１００のシステム制御部１１２または図示しない撮像装置１００のＣＰＵが実行するユーザによる露出設定の変更指示を受け付けるフローチャートである。
【００２３】
ステップＳ１００で撮像装置１００は、露光調整が手動調整か否か判断する。露光調整が手動調整である（はい）と判断された場合ステップＳ１０１に進み、露光調整が手動調整でない（いいえ）と判断された場合ステップＳ１０２に進む。
ステップＳ１０１で撮像装置１００は、図３に示すような動画撮影中の露出変化設定の設定情報を受け付ける。
【００２４】
ステップＳ１０２で撮像装置１００は、ステップＳ１００で露光調整が手動調整でない（いいえ）と判断された場合、図３に示すような動画撮影中の露出変化設定の設定情報のメニュー項目をグレーアウトする。
【００２５】
ステップＳ１０３で撮像装置１００は、現在は動画撮影中の露出変化設定中であるか否かを判断する。現在は動画撮影中の露出変化設定中である（露出変化する）と判断した場合には、ステップＳ１０４に進む。現在は動画撮影中の露出変化設定中ではない（露出変化しない）と判断した場合には、動画撮影中に露出をシミュレーションする画面には遷移せずに一般的な動画記録のみ実行可能になる。
【００２６】
ステップＳ１０４で撮像装置１００は、ユーザの操作により動画撮影を開始し（撮影手段）、撮影した動画を記録部２００等に記録する（記録手段）。その後、図４に示すような動画記録中に撮影されている動画を表示する画面を表示する。画面には実際に現在撮影されている動画３００が表示される。撮像装置１００は、指定された露出設定３０２に従って動画を撮影することが可能である例えばこの時の動画記録中の実際の制御値はシャーター速度であるＴｖ値（［１／１００］秒）、絞りであるＡｖ値（９）、ＩＳＯ値（２００）とする
【００２７】
ステップＳ１０５で撮像装置１００は、動画撮影中に露出をシミュレーションする画面に遷移するための露出変更ボタン３０１がユーザにより押下されたことを受け付ける。
【００２８】
ステップＳ１０６で撮像装置１００は、図５に示すような動画記録中の露出シミュレーション画面を表示する。画面には実際に現在撮影されている動画３００と、生成されたシミュレーション動画３０４が並べて表示される。
【００２９】
このように露出シミュレーション画面では、動画の撮影中に露出設定の値の差異を比較可能なように、画像処理したシミュレーション動画３０４と、実際の露出設定は変更せずに撮影している動画３００とそれぞれ並べて表示する（比較表示手段）ことができる。
【００３０】
ステップＳ１０７で撮像装置１００は、露光をシミュレーションするために、露出を変更するための制御値ボタン３０３がユーザにより変更されたか否かを判断する。ここで露出がユーザ所望の値に変更された（はい）と判断される場合にはステップＳ１０８に進み、露出が変更されない（いいえ）と判断される場合には、シミュレーションする動画生成用の制御値を現状のままで維持したままステップＳ１１０に進む。ここで露出が変更された（はい）と判断される場合、例えばこの時のシミュレーションする動画生成用の制御値はＴｖ値（［１／１００］秒）、絞りであるＡｖ値（１１）、ＩＳＯ値（１００）とする。なお、ここでは実際の動画記録中の制御値は変更しない。
【００３１】
尚、ユーザは制御値ボタン３０３を操作することで、シミュレーションする動画生成用の制御値であるＴｖ値、Ａｖ値、ＩＳＯ値を所望の値に設定することができる。
ステップＳ１０８で撮像装置１００は、ステップＳ１０７で変更されたシミュレーションする動画の制御値（Ｔｖ値、Ａｖ値、ＩＳＯ値）を受け付ける。
【００３２】
このように制御値ボタン３０３により動画の撮影中に、露出設定の値を現在撮影中の動画とは異なる値に変更させる変更指示を受け付ける（受付手段）ことができる。
【００３３】
ステップＳ１０９で撮像装置１００は、ステップＳ１０８で受け付けた制御値（Ｔｖ値、Ａｖ値、ＩＳＯ値）を元に露出をシミュレーションした動画を生成する。
例えばＡｖ値を１段開放にした場合には、１段分の明るさを画像内の全画素に対して増加して出力画素値とすることでシミュレーションした動画を生成する。
【００３４】
このように制御値ボタン３０３により変更指示を受け付けた場合には、撮影されている実際の露出設定は変更せずに撮影された動画を記録し、かつ、実際の露出設定は変更せずに撮影している動画を異なる値に模擬的に変更されたように画像処理したシミュレーション動画を生成して表示する（表示手段）。
【００３５】
ステップＳ１１０で撮像装置１００は、ステップＳ１０８で生成したシミュレーション動画の露出と、実際の動画記録中の制御値が同じになるように実際の動画記録中の制御値も変更決定するためのはいボタン３０５がユーザにより押下されたか否かを判断する。ここで露出変更が決定された（はい）と判断される場合にはステップＳ１１１に進み、露出変更が決定されない（いいえ）と判断される場合にはステップＳ１０３に進む。
【００３６】
このように異なる値に模擬的に変更されたように画像処理したシミュレーション動画３０４を表示した場合に、はいボタン３０５により撮影されている実際の露出設定を模擬的に変更された値に変更させる変更指示を受け付ける（第２の受付手段）ことができる。
【００３７】
ステップＳ１１１で撮像装置１００は、ステップＳ１０８で生成したシミュレーション動画の露出と、実際の動画記録中の制御値が同じになるように実際の動画記録中の制御値を変更する。ここで実際の動画記録中の制御値を変更する。例えば実際の動画記録中の制御値はＴｖ値（［１／１００］秒）、絞りであるＡｖ値（１１）、ＩＳＯ値（１００）になる。さらに、制御値の変化はプログラムオート露出モードの時と同じ設定の速度で変化させる。その後、図６に示すような動画記録中に撮影されている動画を表示する画面を表示する。画面には実際に現在撮影されている動画３００が表示される。
このようにはいボタン３０５により変更指示を受け付けた場合に、撮影されている実際の露出設定を変更して撮影された動画３００を記録する
【００３８】
ステップＳ１１２で撮像装置１００は、ステップＳ１０８で生成したシミュレーション動画の露出と、実際の動画記録中の制御値が同じになるように実際の動画記録中の制御値も変更決定するためのいいえボタンがユーザにより押下されたか否かを判断する。ここで変更決定するためのいいえボタンがユーザにより押下された（はい）と判断される場合には、何もせずに終了する。
ここで変更決定するためのいいえボタンがユーザにより押下されない（いいえ）と判断される場合にはステップＳ１０６に戻る。
図７を説明する。
７００は記憶部に一時保存される制御値（Ｔｖ値、Ａｖ値、ＩＳＯ値）である。
７０１は実際に設定されている制御値（Ｔｖ値、Ａｖ値、ＩＳＯ値）であり、ステップＳ１１１１で記憶される。
７０２はユーザが変更したい制御値（Ｔｖ値、Ａｖ値、ＩＳＯ値）であり、ステップＳ１０８で記憶される。
【００３９】
また、本発明におけるプログラムは、図２に示すフローチャートの処理方法を撮像装置１００が実行可能なプログラムであり、本発明の記憶媒体は図２の処理方法を撮像装置１００が実行可能なプログラムとして、撮像装置１００のＲＯＭ１１２に記憶されている。
【００４０】
以上のように、前述した実施形態の機能を実現するプログラムを記録した記録媒体を、撮像システムあるいは撮像装置に供給し、そのシステムあるいは装置の制御コンピュータ（またはＣＰＵやＭＰＵ）が記録媒体に格納されたプログラムを読出し実行することによっても、本発明の目的が達成されることは言うまでもない。
【００４１】
この場合、記録媒体から読み出されたプログラム自体が本発明の新規な機能を実現することになり、そのプログラムを記憶した記録媒体は本発明を構成することになる。
【００４２】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００４３】
また、コンピュータが読み出したプログラムを実行することにより、前述した実施形態の機能が実現されるだけでなく、そのプログラムの指示に基づき、制御コンピュータ上で稼働しているＯＳ（オペレーティングシステム）等が実際の処理の一部または全部を行い、その処理によって前述した実施形態の機能が実現される場合も含まれることは言うまでもない。
【００４４】
さらに、記録媒体から読み出されたプログラムが、制御コンピュータに挿入された機能拡張ボードや制御コンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００４５】
また、本発明は、複数の機器から構成される撮像システムに適用しても、１つの機器からなる撮像装置に適用してもよい。また、本発明は、撮像システムあるいは撮像装置にプログラムを供給することによって達成される場合にも適応できることは言うまでもない。この場合、本発明を達成するためのプログラムを格納した記録媒体を該撮像システムあるいは撮像装置に読み出すことによって、その撮像システムあるいは撮像装置が、本発明の効果を享受することが可能となる。
【００４６】
さらに、本発明を達成するためのプログラムをネットワーク上のサーバ，データベース等から通信プログラムによりダウンロードして読み出すことによって、その撮像システムあるいは撮像装置が、本発明の効果を享受することが可能となる。
なお、上述した各実施形態およびその変形例を組み合わせた構成も全て本発明に含まれるものである。
【符号の説明】
【００４７】
１００  撮像装置（一眼レフデジタルカメラ）
【図１】
2016046611.tif 000003
【図２】
2016046611.tif 000004
【図３】
2016046611.tif 000005
【図４】
2016046611.tif 000006
【図５】
2016046611.tif 000007
【図６】
2016046611.tif 000008
【図７】
2016046611.tif 000009